(57)【要約】【課題】太陽光発電システムにおける外部接続用ケーブル接続用コネクタ装置等において、そのケーブルの締付け接続固定強度を長年に亘って維持する。【解決手段】雄コネクタ１０の筒状雄ハウジング１１と雌コネクタ２０の筒状雌ハウジング２１は、そのハウジングの接続端子１２、２２が嵌り合う反対側からケーブルＰが挿し込まれ、そのハウジングは弛み止めナット１７、２７がねじ込まれた後、ケーブルに挿通されたケーブル締付け用キャップ状ナット１４、２４がねじ込まれて、両ナット１７、１４、２７、２４のダブルナットによる弛み止めがなされている。このダブルナットによってキャップ状ナット１４、２４の弛みが防止される。このダブルナットに代えてラチェット機構によってナット１４、２４の弛みを防止することもでき、そのダブルナットとラチェット機構は併用し得る。このように、ナットの弛みが防止されれば、ケーブルの締付け接続固定強度を長年に亘って維持される。【選択図】図１
2011018463.tif 000002
【特許請求の範囲】
【請求項１】
太陽光エネルギーを電気エネルギーに直接変換する太陽光発電システムを構成する太陽電池モジュールを相互に接続するケーブル（Ｐ）を各種の電気部品（Ａ、Ｂ、Ｃ）に接続した際の前記電気部品への前記ケーブルの接続固定構造であって、
上記電気部品のボックス本体（１１、２１、３１、４１、５１）への上記ケーブル貫通部（１３、２３、５３）が筒状に形成され、この筒状貫通部に前記ケーブル（Ｐ）が通され、その筒状貫通部（１３、２３、５３）にケーブル締付け用キャップ状ナット（１４、２４、５４）がねじ込まれることによって、ケーブル（Ｐ）が筒状貫通部（１３、２３、５３）に締付け固定されており、かつ、前記貫通部とキャップ状ナット（１４、２４、５４）の間にラチェット機構を設けて、そのラチェット機構によって前記キャップ状ナット（１４、２４、５４）の弛み方向への回転を阻止するようにしたことを特徴とするケーブルの電気部品への接続固定構造。
【請求項２】
太陽光エネルギーを電気エネルギーに直接変換する太陽光発電システムを構成する太陽電池モジュールを相互に接続するケーブル（Ｐ）を各種の電気部品（Ａ、Ｂ、Ｃ）に接続した際の前記電気部品への前記ケーブルの接続固定構造であって、
上記電気部品のボックス本体（１１、２１、３１、４１、５１）への上記ケーブル貫通部（１３、２３、５３）が筒状に形成され、この筒状貫通部に前記ケーブル（Ｐ）が通され、その筒状貫通部に、弛み止めナット（１７、２７）がねじ込まれた後、ケーブル締付け用キャップ状ナット（１４、２４、５４）がねじ込まれることによって、ケーブル（Ｐ）が筒状貫通部（１３、２３、５３）に締付け固定されているとともに、その両ナット（１７、２７、１４、２４、５４）によってダブルナットによる弛み止めが行われていることを特徴とするケーブルの電気部品への接続固定構造。
【請求項３】
上記キャップ状ナット（１４、２４、５４）の外周面を上記ラチェット機構の歯車構造（５５）とし、上記筒状貫通部（１３、２３、５３）側にその歯車構造にかみ合うラチェット爪（５６）を設けたことを特徴とする請求項１に記載のケーブルの電気部品への接続固定構造。
【請求項４】
上記電気部品が、筒状雄ハウジング（１１）内に棒状雄端子（１２）を同一軸上に設けた雄コネクタ（１０）と、前記筒状雄ハウジング（１１）に同一軸上に嵌り合う筒状雌ハウジング（２１）に前記棒状雄端子（１２）に嵌り合う筒状雌端子（２２）を同じく同一軸上に設けた雌コネクタ（２０）とからなる太陽光発電システムにおける外部接続用ケーブル接続用コネクタ装置（Ａ）であって、
上記雄コネクタ（１０）の筒状雄ハウジング（１１）と雌コネクタ（２０）の筒状雌ハウジング（２１）は、その筒状ハウジング（１１、２１）の上記端子（１２、２２）が嵌り合う反対側から外部接続用ケーブル（Ｐ）が挿し込まれており、その外部接続用ケーブル（Ｐ）が挿し込まれた少なくとも一方の筒状ハウジングを上記ボックス本体としたことを特徴とする請求項１乃至３の何れか１つに記載のケーブルの電気部品への接続固定構造。
【請求項５】
上記電気部品が、筒状雄ハウジング（１１）内に棒状雄端子（１２）を同一軸上に設けた雄コネクタ（１０）と、前記筒状雄ハウジング（１１）に同一軸上に嵌り合う筒状雌ハウジング（２１）に前記棒状雄端子（１２）に嵌り合う筒状雌端子（２２）を同じく同一軸上に設けた雌コネクタ（２０）とからなり、その両コネクタ（１０、２０）の一方が太陽電池モジュール（Ｍ）を接続する端子ボックス（Ｂ）に設けられ、他方はその端子ボックス（Ｂ）に接続される外部接続用ケーブル（Ｐ）が接続された、太陽光発電システムにおける前記端子ボックス（Ｂ）に設けた外部接続用ケーブル接続用コネクタ装置（Ａ）であって、
上記雄コネクタ（１０）の筒状雄ハウジング（１１）又は雌コネクタ（２０）の筒状雌ハウジング（２１）は、その筒状ハウジング（１１、２１）の上記端子（１２、２２）が嵌り合う反対側から外部接続用ケーブル（Ｐ）が挿し込まれており、その外部接続用ケーブル（Ｐ）が挿し込まれた少なくとも一方の筒状ハウジングを上記ボックス本体としたことを特徴とする請求項１乃至３の何れか１つに記載のケーブルの電気部品への接続固定構造。
【請求項６】
上記電気部品が、太陽電池モジュール（Ｍ）を相互に接続する端子ボックス（Ｂ）であって、その端子ボックス（Ｂ）のボックス本体（５１）を上記ボックス本体としたことを特徴とする請求項１乃至３の何れか１つに記載のケーブルの電気部品への接続固定構造。
【請求項７】
上記電気部品が、上記ケーブル（Ｐ、Ｐ）同士を接続する接続器（Ｃ）であって、その接続器（Ｃ）のボックス本体（４１）を上記ボックス本体としたことを特徴とする請求項１乃至３の何れか１つに記載のケーブルの電気部品への接続固定構造。
【発明の詳細な説明】
【技術分野】
【０００１】
この発明は、太陽光エネルギーを電気エネルギーに直接変換する太陽光発電システムを構成する太陽電池モジュールを相互に接続するケーブルの電気部品への締付け接続固定構造に関し、具体的には、その太陽電池モジュールに設けられる電気部品の一つである端子ボックスと外部接続用ケーブルとを締付け接続固定したり、各太陽電池モジュール用端子ボックスを接続する電気部品の一つである接続器と前記外部接続用ケーブルとを締付け接続固定したり、前記接続器同士を接続するケーブルとその接続器とを締付け接続固定したり、及びその接続器同士又は端子ボックス同士を接続するケーブル同士を接続したりする電気部品の一つであるコネクタ装置にそのケーブルを締付け接続固定したりする等、のそのケーブルの各種電子部品への締付け接続固定構造に関するものである。
【背景技術】
【０００２】
太陽光発電システムは、図１７に示すように、家屋の屋根に太陽電池パネル（太陽電池モジュール）Ｍを配設し、そのモジュールＭから接続箱Ｑ、インバータＲ、分配盤Ｓを介して各種電気機器Ｅに電力供給する。その太陽電池モジュールＭは、同図に示すように全てが面一となるように配置され、端子ボックスＢを介して直列（図１８）又は並列（図１９（ａ）、図２０（ａ））に接続する。
端子ボックスＢは、通常、この発明の実施形態を示す図７、図１０のように、ボックス本体３１、５１内に、太陽電池モジュールＭの電極ａが接続される複数の端子板３２、５２を並べて配設し、その隣り合う各端子板３２、３２、５２、５２の間に逆流防止用ダイオード４３を設け、両端の端子板にはボックス本体３１、５１の側壁を貫通した外部接続用ケーブルＰを接続したものであり、シール材による水密性を維持してモジュールＭの裏面に接着等によって固定される（特許文献1参照）。
【０００３】
その端子ボックスＢは、直列接続にしろ、並列接続にしろ、外部接続用ケーブルＰによって接続される。この接続において、端子ボックスＢからケーブルＰを直接に引き出し、そのケーブルＰ、Ｐ同士をコネクタ装置Ａを介して接続したり（特許文献１図１、図７等参照）、端子ボックスＢとケーブルＰを直接又はコネクタ装置Ａを介して接続したりしている（特許文献１図１２、本願図７、同図１０等参照）。
このとき、各外部接続用ケーブル（電力ケーブル）Ｐを接続器Ｃ１〜Ｃ６を介して適宜に接続している（本願図８、同図９、図１９（ａ）、図２０（ａ）参照）。
【０００４】
そのコネクタ装置Ａとして、筒状雄ハウジング内に棒状雄端子を同一軸上に設けた雄コネクタと、前記筒状雄ハウジングに同一軸上に嵌り合う筒状雌ハウジングに前記棒状雄端子に嵌り合う筒状雌端子を同じく同一軸上に設けた雌コネクタとからなり、その雄雌ハウジングに、端子が嵌り合う反対側から外部接続用ケーブルが挿し込まれ、その外部接続用ケーブルに挿通されたケーブル締付け用キャップ状ナットがねじ込まれた構成のものがある特許文献２  図１０参照）。
また、端子ボックスや接続器の側面にその内部に通じる外部接続用ケーブルＰの導入用円筒部を設け、この円筒部に外部接続用ケーブルＰを通すとともに、円筒部にケーブル締付け用キャップ状ナットをねじ込むことによって外部接続用ケーブルＰを端子ボックス又は接続器に締付け固定する構成のものがある（本願図１０参照）。
【先行技術文献】
【特許文献】
【０００５】
【特許文献１】特開２００５−２２４０３６号公報
【特許文献２】特開２００４−２２０８２４号公報
【特許文献３】特開２００３−２２９１９９号公報
【発明の概要】
【発明が解決しようとする課題】
【０００６】
太陽光発電システムのケーブル配線は屋外が大部分であって、そのケーブルＰと上記各種の電気部品Ａ、Ｂ、Ｃとの接続部は風雨に晒されて劣化が激しい。また、その配線作業において、屋外であることから、その作業も手荒なものとなり、その接続部のケーブルに引張り力が掛かりやすい。
このような状況下、上記コネクタ装置等における外部接続用ケーブルのキャップ状ナットによる締付け固定はそのナットが締付け方向と反対側に回って弛んで固定強度が劣化し、ケーブルＰに引張り力が作用すると、その力に対しコネクタ本体やボックス本体等が抗し得ず、ケーブル導体が接続された端子や端子板にその引張り力が作用することとなる。このようになると、ケーブルと端子等との接続強度が劣化し、やがてその接続が破損する恐れがある。接続破損が生じれば、太陽光発電システムが不通となる。
【０００７】
この発明は、上記の実情に鑑み、上記ケーブルのキャップ状ナットによる締付け固定強度を長年に亘って維持できるようにすることを課題とする。
【課題を解決するための手段】
【０００８】
上記課題を達成するために、この発明は、ダブルナットやラチェット機構によってキャップ状ナットの弛み止めを行うこととしたのである。
このダブルナットやラチェット機構は弛み止めとしては従来から採用されたものであって、その構成も簡単であり、比較的安価であって、その弛み止め効果も容易に得ることができる。
【０００９】
この発明の一構成としては、太陽光エネルギーを電気エネルギーに直接変換する太陽光発電システムを構成する太陽電池モジュールを相互に接続するケーブルを各種の電気部品に接続した際の前記電気部品への前記ケーブルの接続固定構造において、前記電気部品のボックス本体へのケーブル貫通部が筒状に形成され、この筒状貫通部にケーブルが通され、その筒状貫通部に、弛み止めナットがねじ込まれた後、ケーブル締付け用キャップ状ナットがねじ込まれることによって、ケーブルが筒状貫通部に締付け固定されているとともに、その両ナットによってダブルナットによる弛み止めが行われている構成を採用することができる。
【００１０】
また、この発明の他の構成としては、太陽光エネルギーを電気エネルギーに直接変換する太陽光発電システムを構成する太陽電池モジュールを相互に接続するケーブルを各種の電気部品に接続した際の電気部品へのケーブルの接続固定構造において、前記電気部品のボックス本体へのケーブル貫通部が筒状に形成され、この筒状貫通部にケーブルが通され、その筒状貫通部にケーブル締付け用キャップ状ナットがねじ込まれることによって、ケーブルが筒状貫通部に締付け固定されており、かつ、前記貫通部とキャップ状ナットの間にラチェット機構を設けて、そのラチェット機構によってキャップ状ナットの弛み方向への回転を阻止するようにした構成を採用することができる。
この構成において、上記「貫通部とキャップ状ナットの間」にはその貫通部が設けられた上記「ボックス本体側とキャップ状ナットの間」も含まれ、例えば、そのキャップ状ナットの外周面を上記ラチェット機構の歯車構造とし、上記筒状貫通部側（ボックス本体側）にその歯車構造にかみ合うラチェット爪を設けたものとし得る。
【００１１】
上記電気部品には、太陽光発電システムに使用される各種の電気部品、例えば、太陽電池モジュールを相互に接続する端子ボックス、ケーブル同士を接続するコネクタ装置、同接続器等を挙げることができる。
【００１２】
その電気部品がケーブル同士を接続するコネクタ装置の場合の具体的な構成は、筒状雄ハウジング内に棒状雄端子を同一軸上に設けた雄コネクタと、前記筒状雄ハウジングに同一軸上に嵌り合う筒状雌ハウジングに前記棒状雄端子に嵌り合う筒状雌端子を同じく同一軸上に設けた雌コネクタとからなる太陽光発電システムにおける外部接続用ケーブル接続用コネクタ装置において、前記雄コネクタの筒状雄ハウジングと雌コネクタの筒状雌ハウジングは、その筒状ハウジングの前記端子が嵌り合う反対側から外部接続用ケーブルが挿し込まれており、その外部接続用ケーブルが挿し込まれた筒状ハウジングを、上記ダブルナット機構又はラチェット機構を設けたボックス本体としたものとすることができる。
【００１３】
また、その電気部品が太陽電池モジュールを相互に接続する端子ボックスの場合の具体的な構成は、筒状雄ハウジング内に棒状雄端子を同一軸上に設けた雄コネクタと、前記筒状雄ハウジングに同一軸上に嵌り合う筒状雌ハウジングに前記棒状雄端子に嵌り合う筒状雌端子を同じく同一軸上に設けた雌コネクタとからなり、その両コネクタの一方が太陽電池モジュールを接続する端子ボックスに設けられ、他方はその端子ボックスに接続される外部接続用ケーブルが接続された太陽光発電システムにおける端子ボックスに設けた外部接続用ケーブル接続用コネクタ装置において、前記雄コネクタの筒状雄ハウジング又は雌コネクタの筒状雌ハウジングは、その筒状ハウジングの前記端子が嵌り合う反対側から外部接続用ケーブルが挿し込まれており、その外部接続用ケーブルが挿し込まれた筒状ハウジングを、上記ダブルナット機構又はラチェット機構を設けたボックス本体としたものとすることができる。
この構成において、端子ボックスを接続器とし得る。
【００１４】
さらに、端子ボックスや接続器においては、コネクタ装置によってケーブルを接続することなく、ケーブルをそのボックス本体に直接に導き、そのケーブル導入部において、ボックス本体の導入部を筒状とし、その筒状導入部（ケーブル貫通部）にケーブル締付け用キャップ状ナットをねじ込み、そのナット、貫通部及びケーブル本体の間に、上記ダブルナット機構又はラチェット機構を設けたものとすることができる。
【００１５】
上記各構成において、コネクタ装置のように、２つ以上のケーブル導入部がある場合には、上記ダブルナット又はラチェット機構は少なくとも一方のボックス本体（ハウジング）に設けることができ、この場合、他方のボックス本体は、そのダブルナット又はラチェット機構による弛み止めが必要ないのであれば、そのダブルナット又はラチェット機構を設けなかったり、他の弛み止め構造を採用したりすることができる。しかし、両ボックス本体（両ハウジング）にダブルナット又はラチェット機構を設けて両者共に同一の弛み止め構造を採用することが好ましい。
【００１６】
上記ダブルナットとラチェット機構は併用することができる。すなわち、ダブルナットによる弛み止めに加えてボックス本体（貫通部）とキャップ状ナットの間にラチェット機構を設けたり、ラチェット機構に加えて、上記貫通部に弛み止めナットをねじ込んだ後、キャップ状ナットをねじ込んで、両ナットによってダブルナットによる弛み止めがなされた構成を採用したりし得る。
【発明の効果】
【００１７】
この発明は、以上のように、ダブルナットやラチェット機構によって、ケーブル締付け用キャップ状ナットの弛み止めを行うようにしたので、そのキャップ状ナットによる締付け固定強度を長年に亘って維持することができ、太陽光発電システムの長年に亘る安定化を図ることができる。
【図面の簡単な説明】
【００１８】
【図１】コネクタ装置Ａにこの発明を採用した一実施形態の接続状態の斜視図
【図２】（ａ）は同正面図、（ｂ）は同切断正面図
【図３】同雄雌コネクタの接続を外した切断正面図
【図４】同雌コネクタを示し、（ａ）は正面図、（ｂ）は右側面図
【図５】同雄コネクタを示し、（ａ）は正面図、（ｂ）は左側面図
【図６】同分解斜視図
【図７】端子ボックスＢにこの発明を採用したカバーを外した正面図
【図８】（ａ）、（ｂ）は各接続器Ｃ１、Ｃ２にこの発明を採用した各実施形態のカバーを外した各正面図
【図９】（ａ）〜（ｄ）は各接続器Ｃ３〜Ｃ６にこの発明を採用した各実施形態のカバーを外した各正面図
【図１０】他の実施形態の端子ボックスの場合を示し、（ａ）は正面図、（ｂ）は同側面図、（ｃ）は同裏面図、（ｄ）は同下面図、（ｅ）は同カバーを外した一部切り欠き正面図
【図１１】同実施形態の要部斜視図
【図１２】同実施形態の作用説明用要部斜視図
【図１３】同実施形態の作用説明図
【図１４】他の実施形態の要部斜視図
【図１５】他の実施形態のカバーを外した正面図
【図１６】他の実施形態のカバーを外した斜視図
【図１７】太陽光発電システムの概略図
【図１８】端子ボックスの一接続態様図
【図１９】（ａ）は端子ボックスの他の接続態様図、（ｂ）は（ａ）の接続態様におけるコネクタの接続説明図
【図２０】（ａ）は端子ボックスのさらに他の接続態様図、（ｂ）は（ａ）の接続態様におけるコネクタの接続説明図
【発明を実施するための形態】
【００１９】
一実施形態を図１〜図６に示し、この実施形態は、上記端子ボックスＢ間やその端子ボックスＢを接続する接続器Ｃ１〜Ｃ６間等を接続するケーブルＰ同士を接続するコネクタ装置Ａに係わり、筒状雄ハウジング１１内に棒状雄端子１２を同一軸上に設けた雄コネクタ１０と、筒状雄ハウジング１１に同一軸上に嵌り合う筒状雌ハウジング２１に前記棒状雄端子１２に嵌り合う筒状雌端子２２を同じく同一軸上に設けた雌コネクタ２０とからなる。
ケーブルＰと雄雌端子１２、２２は、その端子１２、２２の筒状部にケーブルＰの導体を挿入して圧着接続され、雄端子１２と雌端子２２の接続は、雄端子１２の先端棒状部１２ａを雌端子２２のスリット入り筒状部２２ａに挿入して接続する。これらの接続は、例えば、特許文献３図１、図２、図５、図６、図９等に示されるように周知の構成である。
【００２０】
両ハウジング（本願特許請求の範囲で言う「ボックス本体」）１１、２１は、樹脂製であって、ケーブルＰが挿し入れられる筒状部（円筒部）１３、２３と、その筒状部１３、２３にねじ込まれるキャップ状ナット１４、２４及び筒状部１３、２３の先端部をなす筒状嵌合部１５、２５を有しており、筒状部１３、２３に端子１２、２２付のケーブルＰの端末を挿し入れ、弛み止めナット１７、２７をねじ込んだ後、筒状防水パッキング１６、２６を介在してキャップ１４、２４を筒状部１３、２３にねじ込むことによってコネクタ１０、２０に水密にケーブルＰが接続される（装着される）。
【００２１】
その両ナット１７、２７、１４、２４は、まず、ナット１７、２７を筒状部１３、２３の付け根近くまでねじ込み、つぎに、ナット１４、２４を筒状部１３、２３にねじ込んでナット１７、２７に至った後、そのナット１４、２４の締付け方向への回転力を維持した状態でナット１７、２７をその締付け方向と逆方向に回転させて両ナット１７、２７、１４、２４を締付けてダブルナットによる弛め止め構造とする。
図中、１８ａは雄コネクタ１０の嵌合部１５先端に装着された輪状防水パッキング、１８ｂ、２８ｂは筒状ストッパーであって、ケーブルＰの導体と端子１２、２２の圧着が抜けることを防止する。
【００２２】
上記雌コネクタ２０の嵌合部２５の外周に、その筒状部２３から前方（雄コネクタ１０に向かう方向）に延びる対の片状係止爪部２９が設けられ、雄コネクタ１０の嵌合部１５の外周にはその係止爪部２９が係止する係止部１９が設けられている。
係止爪部２９は片先端に外側に突出する爪２９ａを有し、係止部１９は、ハウジング１１外面から立ち上がった後、そのハウジング周方向に延びる係止片１９ａを有しており、図３から図１、図２に示すように、雄コネクタ１０と雌コネクタ２０を嵌め合わすと（雄コネクタの嵌合部１５と雌コネクタ２０の嵌合部２５を嵌め合わすと）、係止爪部２９が係止部１９の係止片１９ａの内側を通ってその爪２９ａが係止片１９ａをくぐってその外側への弾性力でもって係止片１９ａに係止する（図１、図２（ｂ）参照）。この係止によって、両コネクタ１０、２０が抜け止めされる（容易に外れることなく、両端子１２、２２が嵌合接続する）。係止片１９ａは、ハウジング１１の筒軸方向から見て門状でなく、Ｌ字状でも良い。
【００２３】
この実施形態では、雄コネクタ１０側に係止部１９を設け、雌コネクタ２０側に係止爪部２９を設けたが、雄コネクタ１０側に係止爪部２９を設け、雌コネクタ２０側に係止部１９を設けても良いことは勿論である。また、係止部１９と係止爪部２９の係止は、２個所と限らず、３個所以上としたり、一個所としたりすることができる。
【００２４】
上記実施形態は、ケーブルＰ、Ｐ同士の接続を行うコネクタ装置Ａに関するものであったが、図７に示す端子ボックスＢ、図８、図９に示す接続器Ｃ１〜Ｃ６において、ケーブルＰとの接続に上記雄コネクタ１０、雌コネクタ２０の構成を採用した場合、そのコネクタ１０、２０に嵌める雌コネクタ２０又は雄コネクタ１０のハウジング１１、２１へのケーブルＰの締付け固定にこの発明は採用することができる。
【００２５】
図７に示す端子ボックスＢは、上面開口のポリフェニレンオキサイド（ＰＰＯ）樹脂又はポリフェニレンエーテル（ＰＰＥ）樹脂製長尺四角形状ボックス本体３１内に、太陽電池モジュールＭの平帯状のプラス電極線ａ及びマイナス電極線ａが接続される片状端子板３２、３２を並列に配設している。
この端子ボックスＢの両コネクタ１０、２０はその端子１２、２２が端子板３２に嵌合（圧着）接続されている。また、ボックス本体３１には図示しないＰＰＯ樹脂又はＰＰＥ樹脂製のカバーが防水リングを介し嵌着されて防水性とされる。端子板３２、３２の間にはバイパス用逆流防止ダイオード（図８（ａ）符号４３参照）を設けることができる。また、端子ボックスＢに設けるコネクタ１０、２０は同一構造、例えば、両者とも雄コネクタ１０とし得る。この場合、外部接続用ケーブルＰのコネクタ１０、２０も同一構造、例えば、両者とも雌コネクタ２０とし得る。
【００２６】
図８（ａ）、（ｂ）、図９（ａ）〜（ｄ）で示す接続器Ｃ１〜Ｃ６は、図１９、図２０に示す端子ボックスＢを接続する３本又は４本のケーブルＰを接続するためのものであって、上記端子ボックスＢと同様に、上面開口のＰＰＯ樹脂又はＰＰＥ樹脂製長尺四角形状ボックス本体４１内に片状端子板４２、４２を並列に配設し、コネクタ１０又は２０はその端子１２、２２がその端子板４２に半田付け又は圧着によって接続されている。これらのボックス本体４１にもＰＰＯ樹脂又はＰＰＥ樹脂製のカバーが防水リングを介し嵌着されて防水性とされる。端子板４２、４２の間は、逆流防止ダイオード４３を設けたり、ジャンパー線４４の何れかを設けたりすることができる。
【００２７】
この図８で示した接続器Ｃ１、Ｃ２は、図１９に示す端子ボックスＢを接続する３本のケーブルＰを接続し、図９で示した接続器Ｃ３〜Ｃ６は図２０に示す端子ボックスＢを接続する４本のケーブルＰを接続する。このとき、図１９（ｂ）、図２０（ｂ）に示すように、ケーブルＰ、Ｐ同士は図１に示すコネクタ装置A（コネクタ１０、２０）等によって適宜に接続する。
【００２８】
図１０〜図１３には弛め止め機構の他の実施形態を示し、この実施形態は、端子ボックスＢに構成したものである。この端子ボックスＢも、上記と同様に、上面開口のＰＰＯ樹脂又はＰＰＥ樹脂製長尺四角形状ボックス本体５１内に、太陽電池モジュールＭの平帯状のプラス電極線ａ及びマイナス電極線ａが接続される片状端子板５２、５２を並列に配設している。ボックス本体５１にはＰＰＯ樹脂又はＰＰＥ樹脂製のカバー５７が防水リングを介し嵌着されて防水性とされる。
【００２９】
その端子板５２に外部接続用ケーブルＰの導体を接続する構成にこの発明を採用したものであって、そのボックス本体５１の側面にその内部が端子ボックス内部に通じる外部接続用ケーブルＰの導入用円筒部（ケーブル貫通部）５３を設け、この円筒部５３に外部接続用ケーブルＰを通してそのケーブル導体を端子板５２に圧着や半田付によって接続する。この後、その円筒部５３にケーブル締付け用キャップ状ナット５４をねじ込んで外部接続用ケーブルＰを端子ボックスＢに締付け固定する。このキャップ状ナット５４をねじ込むことによるケーブルＰの円筒部（貫通部）５３への締付固定構造は、弛み止めナット１７、２７を除いて図２で示すキャップ状ナット１４、２４と同一である。
【００３０】
このとき、ボックス本体５１（貫通部５３）とキャップ状ナット５４の間にラチェット機構が設けられている。そのラチェット機構は、キャップ状ナット５４の外周面を歯車構造（全周位に軸方向の溝を等間隔に設けた構造）５５とし、ボックス本体５１側にその歯車構造（溝）５５にかみ合うラチェット爪５６を設けて構成されている。溝間隔は任意である。
このため、円筒部５３にケーブルＰを挿通した後、図１１に示す状態から、図１２に示すように、その円筒部５３にキャップ状ナット５４をねじ込むと、やがて、そのナット５４の外面にラチェット爪５６が係止する。この係止は、ナット５４の締付け方向（図１２、図１３の矢印方向）に対しては、そのラチェット爪５６が図１３鎖線のように立ち上がってそのナット５４の回転を許容するため、ナット５４は支障なく締付けることができる。
そのナット５４によってケーブルＰを十分に締付け固定した状態において、ナット５４に何らかの力が作用してそのナット５４が弛む方向（図１３の反矢印方向）に動こうとしても、ラチェット爪５６が溝５５の側壁に係止してその回転を阻止する。すなわち、ナット５４の弛みを阻止する。このため、ナット５４によるケーブルＰの締付け固定は弛むことなく、長年に亘ってその締付け固定強度が維持される。
【００３１】
この端子ボックスＢの実施形態においても、図１４に示すように、ダブルナット構造を採用することができる。また、上記の図１０〜図１３に示す実施形態においても、ラチェット機構に加えてダブルナット構造を採用することもできる。
さらに、図１〜図６に示したダブルナット構造において、ラチェット機構をさらに設けてナット１４、２４の弛み止めを確実にしたり、ダブルナット構造に変えてラチェット機構としたりすることができる。
また、図８、図９に示した各接続器Ｃ１〜Ｃ６において、この図１０、図１１の実施形態のように、端子板４２にケーブル導体を直接接続し、そのケーブルＰの導入部をダブルナット構造やラチェット構造とし得る。
また、図１１、図１２に示すように、ラチェット機構の歯車構造５５をナット５４の外周面全長に亘って溝を設けたものとすれば、通常、ナット５４の外周面に設ける滑り止め溝をその歯車構造５５によって兼ねることができるが、図１４に示すように、その歯車構造５５はラチェット爪５６と噛み合う部分のみとし得る。
【００３２】
なお、今回開示された実施形態はすべての点で例示であって制限的なものではないと考えられるべきであり、例えば、端子ボックスＢの態様としては、２枚の端子板３２、５２が並列配置のものに限らず、図１５に記載の端子板３２が３以上の複数の並列配置のものや、図１６に記載の直列配置のものでも、この発明は採用でき、また、その端子板３２、５２の数は２個に限らず、３個以上でも良いことは勿論である。各コネクタ１０、２０の配置位置も任意である。
接続器Ｃ１〜Ｃ６においても、ケーブルＰの接続数は２本，５本以上であっても、そのケーブルＰの接続数に応じたコネクタ１０又は２０を設ければ良いことは勿論である。また、このコネクタ装置Ａは、太陽光発電システムを構成する各種のケーブル同士を接続するものであれば、その一方のケーブル端末に雄コネクタ１０が設けられ、他方のケーブ端末に雌コネクタ２０が設けられたものとする。
このように、この発明の範囲は、特許請求の範囲によって示され、特許請求の範囲と均等の意味および範囲内でのすべての変更が含まれることが意図されることは勿論である。
【符号の説明】
【００３３】
１０  雄コネクタ
１１  雄コネクタのハウジング（ボックス本体）
１２  雄コネクタの端子
１３  雄コネクタの筒状部
１４  雄コネクタのキャップ状ナット
１５  雄コネクタの嵌合部
１７  弛み止めナット
１９  雄コネクタの係止部
１９ａ  雄コネクタの係止片
２０  雌コネクタ
２１  雌コネクタのハウジング（ボックス本体）
２２  雌コネクタの端子
２３  雌コネクタの筒状部
２４  雌コネクタのキャップ状ナット
２５  雌コネクタの嵌合部
２７  弛み止めナット
２９  雌コネクタの係止爪部
２９ａ  雌コネクタの係止爪
３１  端子ボックス本体
３２  端子板
４１  接続器ボックス本体
４２  接続器端子板
４３  逆流防止用ダイオード
４４  接続器ジャンパー線
５１  端子ボックス本体
５２  端子ボックスの端子板
５３  外部接続用ケーブル導入用円筒部
５４  外部接続用ケーブル締付け固定用キャップ状ナット
５５  ラチェット機構の歯車構造（溝）
５６  ラチェット爪
ａ  太陽電池モジュールの電極線
Ａ  コネクタ装置
Ｂ  端子ボックス
Ｃ１〜Ｃ６  接続器
Ｍ  太陽電池モジュール
Ｐ  外部接続用ケーブル
【図１】
2011018463.tif 000003
【図２】
2011018463.tif 000004
【図３】
2011018463.tif 000005
【図４】
2011018463.tif 000006
【図５】
2011018463.tif 000007
【図６】
2011018463.tif 000008
【図７】
2011018463.tif 000009
【図８】
2011018463.tif 000010
【図９】
2011018463.tif 000011
【図１０】
2011018463.tif 000012
【図１１】
2011018463.tif 000013
【図１２】
2011018463.tif 000014
【図１３】
2011018463.tif 000015
【図１４】
2011018463.tif 000016
【図１５】
2011018463.tif 000017
【図１６】
2011018463.tif 000018
【図１７】
2011018463.tif 000019
【図１８】
2011018463.tif 000020
【図１９】
2011018463.tif 000021
【図２０】
2011018463.tif 000022